(57)【要約】【課題】よりコンパクトで操作性の高い受信装置を提供する。【解決手段】受信装置において、複数の機能が切り替えて付与される操作子１９と、受信中の信号に基づいて得られる所定の情報に基づき、複数の機能を操作子に対し切り替えて付与する機能切替え手段１８を設け、前記所定の情報として、受信中の周波数において複数チャンネルによる放送がなされているか否かの情報等を用い、機能切替え手段によって切り替えられる機能として、受信周波数を変更する機能や、同一周波数においてチャンネルを変更する機能を採用する。【選択図】図１
2006229353.tif 000002
【特許請求の範囲】
【請求項１】
複数の機能が切り替えて付与される操作子と、
受信中の信号に基づいて得られる所定の情報に基づき、前記複数の機能を前記操作子に対し切り替えて付与する機能切替え手段とを具備することを特徴とする受信装置。
【請求項２】
前記所定の情報は、受信中の周波数において複数チャンネルによる放送がなされているか否かの情報であり、前記複数の機能は、受信周波数を変更する機能及び同一周波数においてチャンネルを変更する機能であることを特徴とする請求項１に記載の受信装置。
【請求項３】
複数のチャンネルが含まれる周波数に受信周波数を変更する場合、該複数のチャンネルのうちの最初のものをまず受信することを特徴とする請求項１又は２に記載の受信装置。
【請求項４】
複数のチャンネルが含まれる周波数に受信周波数を変更するに際し、より低い周波数からの変更の場合には、該複数のチャンネルのうちの最初のものをまず受信するとともに、より高い周波数からの変更の場合には、該複数の受信チャンネルのうちの最後のものをまず受信することを特徴とする請求項１又は２に記載の受信装置。
【請求項５】
前記所定の情報は、受信中の周波数において、アナログとデジタルによるサイマル放送がなされているか否かの情報であり、
前記複数の機能は、前記アナログによる放送の受信を強制的に選択する機能及び前記デジタルによる放送の受信を強制的に選択する機能であり、
前記機能切替え手段は、前記アナログによる放送及びデジタルによる放送のいずれかを受信信号に基づいて選択して受信する自動モードで前記サイマル放送を受信しているとき、前記操作子に対し、第１の操作については、前記デジタルによる放送の受信を強制的に選択する機能を付与するとともに第２の操作については前記アナログによる放送の受信を強制的に選択する機能を付与し、
前記強制的選択によるアナログ放送の受信を行っているとき、前記操作子に対し、前記第１操作については前記自動モードに遷移させる機能を付与するとともに前記第２操作については受信周波数をより低い周波数へ変更する機能を付与し、
そして、前記強制的選択によるデジタル放送の受信を行っているとき、前記操作子に対し、前記第１操作については受信周波数をより高い周波数へ変更する機能を付与するとともに前記第２操作については前記自動モードに遷移させる機能を付与するものであることを特徴とする請求項１〜４のいずれか１項に記載の受信装置。
【請求項６】
前記所定の情報は、受信中の番組のジャンルに関する情報であり、前記機能切替え手段は、前記ジャンル情報に基づき、前記操作子に対し、受信中の番組のジャンルに適したイコライザ設定をオンとする機能、音声効果を制御するためのＤＳＰ表示を行わせる機能及び有効にされている音声効果をオフとする機能、放送中の楽曲についてのタイトルを表示させる機能及び無機能、又は放送中の楽曲を演奏しているアーティストを表示させる機能及び無機能を前記操作子に対し、切り替えて付与するものであることを特徴とする請求項１〜５のいずれか１項に記載の受信装置。
【請求項７】
前記所定の情報は、受信中の放送がモノラル放送であるか又はステレオ放送であるかについての情報であり、前記機能切替え手段は、受信中の放送がモノラル放送である場合には、前記操作子の機能を、ラウドネスをオンとする機能へ、別の機能から切り替え、又は受信中の放送がステレオ放送である場合には前記操作子の機能を、マルチパスによるステレオ・ブレンディングをオンとする機能へ、別の機能から切り替えるものであることを特徴とする請求項１〜６のいずれか１項に記載の受信装置。
【請求項８】
前記所定の情報は、受信中の放送に文字情報が含まれているか否かの情報であり、前記機能切替え手段は、受信中の放送に文字情報が含まれている場合には、該文字情報に基づき、前記操作子の機能を、該文字情報を表示させる機能へ、別の機能から切り替えるものであることを特徴とする請求項１に記載の受信装置。
【請求項９】
受信装置を構成するコンピュータに、
受信装置により受信中の信号に基づいて所定の情報を得る手順と、
受信装置が有する所定の操作子に対して複数の機能を、前記所定の情報に基づき、切り替えて付与する手順とを行わせることを特徴とするプログラム。
【請求項１０】
受信装置が、受信中の信号に基づいて所定の情報を得る手順と、
受信装置が、その所定の操作子に対して複数の機能を、前記所定の情報に基づき、切り替えて付与する手順とを具備することを特徴とする受信方法。
【発明の詳細な説明】
【技術分野】
【０００１】
本発明は、受信装置が有する操作子に対して複数の機能を切り替えて付与するようにした受信装置、プログラム及び受信方法に関する。
【背景技術】
【０００２】
一般に、受信装置において、ユーザに新たな機能を提供する場合、ある特定の放送モードでのみ必要であり有効となるような機能であっても、その機能を実現するための専用のキーを受信機の操作パネル内に配置したり、受信装置の操作メニュー内に加えたりする必要がある。たとえば従来、デジタル放送受信機等として、デジタル放送を受信すると、表示内容を変更したり、ユーザ・インタフェースを切り替えてデジタル放送用のものを有効にしたりするものが知られている。この変更や切替えは、デジタル信号が受信可能か否かという単純な場合分けに基づいて行われている。
【０００３】
一方、近年のデジタル放送技術の進展に伴い、ユーザが受信装置に設定する周波数又はチャンネルで受信することができる放送形態として、様々なものが考えられるようになってきている。たとえば、ＩＢＯＣ（Ｉｎ  Ｂａｎｄ  Ｏｎ  Ｃｈａｎｎｅｌ）方式によるデジタル放送によれば、デジタル放送及びアナログ放送を同時に同一周波数で行うことができる。ＩＢＯＣ放送においては、同一周波数のアナログ放送及びデジタル放送によって同じ番組を同時に放送（以下、「サイマル放送」という。）するハイブリッド放送や、デジタル放送のみを行うフルデジタル放送、さらには同一周波数で複数チャンネルのデジタル放送を行うトゥモロー・ラジオ（Ｔｏｍｏｒｒｏｗ  Ｒａｄｉｏ）放送といった、多様な放送モードが存在する。
【０００４】
トゥモロー・ラジオ放送では、従来の周波数変更機能に加え、周波数を変更することなく複数のデジタル放送を切り替えて受信するためのチャンネル切替え機能が必要となる。図７は従来のトゥモロー・ラジオ放送受信装置において、放送モードに応じて受信状態が遷移する様子を示す。同図においては、受信状態として、９９．９［ＭＨｚ］のアナログ放送を受信している状態７１、１００．１［ＭＨｚ］においてアナログ放送及び複数のデジタル放送を受信している状態７２、並びに１００．３［ＭＨｚ］のアナログ放送を受信している状態７３が示されている。つまりこの場合、受信状態７１及び７３のアナログ受信モード、及び受信状態７２のトゥモロー・ラジオ放送を受信している受信モードが存在する。
【０００５】
各受信状態７１、７２、７３の選択は、受信装置に設けられたアップ／ダウン・キーによって行われる。矢線Ｕｐはアップ・キーが押下されたときの遷移方向を示し、矢線Ｄｎはダウン・キーが押下されたときの遷移方向を示す。アップ／ダウン・キーの押下により状態７１、７２及び７３間での遷移が行われ、受信周波数は変化する。しかし、アップ／ダウン・キーの操作によっては、状態７２に属する各デジタル放送の受信状態間での遷移は行われることはない。周波数の変更を伴わない各デジタル放送の切替えを行う機能は、別のキーやメニューの操作によって行われる。
【０００６】
ＩＢＯＣ放送が行われる環境では、アナログ放送のみの放送、アナログ及びＲＢＤＳ（ラジオ放送データ・システム）によるＦＭ多重放送、アナログ及びデジタルのハイブリッド放送、デジタル放送のみの放送、トゥモロー・ラジオ放送等の様々なモードの放送が、各放送局によって混在して行われることが予想される。また、各放送局において、時間帯に応じて放送モードが切り替えられることも予想される。
【０００７】
ＩＢＯＣ放送を受信する受信装置としては、プリセット・キーにより選局が行われる場合に、プリセット・キーの押下時間に応じて、そのプリセット・キーにより選択される放送局のデジタル放送を受信するか又はアナログ放送を受信するかを決定するようにした受信機が開示されている（特許文献１参照）。また、デジタル放送における各チャンネルのジャンル等を、受信信号に基づいて予め記録しておき、あるチャンネルの受信中に、チャンネル切替えのためにアップ／ダウン・キーを操作したとき、受信中のチャンネルとジャンル等が同一であるチャンネルはスキップし、ジャンルの異なるチャンネルに切り替わるようにした受信機が開示されている（特許文献２参照）。
【０００８】
【特許文献１】特開２００２−３０００５７号公報
【特許文献２】特開２００３−１４３０２７号公報
【発明の開示】
【発明が解決しようとする課題】
【０００９】
ＩＢＯＣ方式におけるトゥモロー・ラジオ放送では、図７を用いて上述したように、周波数変更機能に加え、周波数を変更することなく複数のデジタル放送を切り替えて受信するためのチャンネル切替え機能が必要となる。しかしながら、受信装置においてこのチャンネル切替え機能をユーザに提供するためには、チャンネル切替え機能を実現するためのキーを受信装置の操作パネル内に配置するか、又は操作メニューの操作モードとして、チャンネル切替えモードを常に用意しておく必要がある。さらに、このチャンネル切替え機能は、受信装置がトゥモロー・ラジオ放送を受信する場合にしか機能しないため、ユーザは聴取している放送の放送モードを常に意識している必要がある。
【００１０】
このような問題は、ＩＢＯＣ放送の受信装置だけに存在する問題ではなく、他のすべての受信装置においても生じ得る問題である。つまり、従来技術によれば、どのような受信装置においても、新たな放送モードのサービスに対応した機能を追加してユーザに提供する場合、追加する機能に応じてキーを増設するか、又はメニュー構成を変更して階層化する必要がある。このことは、ユーザに対し、より複雑な操作を行うことを強いることになる。
【００１１】
また、車載用の受信機等のような、表示スペースや操作スペースが限られている受信装置において、特定の放送モードについてのみしか有効にならない機能のためにキーを新たに設けることは困難な場合もある。
【００１２】
本発明の目的は、このような従来技術の問題点に鑑み、より容易に操作をすることができる操作子を備えた受信装置を提供することにある。また、限られたスペースにおいても容易に操作を行うことができる操作子を備えた受信装置を提供することにある。
【課題を解決するための手段】
【００１３】
上記目的を達成するため、第１の発明に係る受信装置は、複数の機能が切り替えて付与される操作子と、受信中の信号に基づいて得られる所定の情報に基づき、複数の機能を操作子に対し切り替えて付与する機能切替え手段とを具備することを特徴とする。
【００１４】
ここで、受信装置としては、たとえば、無線放送や有線放送等の受信装置が該当する。複数の機能としては、たとえば、受信周波数を変更する機能や、同一周波数において受信チャンネルを変更する機能が該当する。操作子としては、たとえば、アップ／ダウン・キー、押しボタン式の操作子、レバー式の操作子、ダイヤル式の操作子、又は表示図形とタッチパネルによる操作子が該当する。所定の情報としては、たとえば、受信中の周波数において同時に複数チャンネルの放送が行われているか否かの情報が該当する。
【００１５】
この構成において、操作子の操作により１つの機能が行われる場合に、受信中の信号に基づく所定の情報が変化し、別の機能が必要になると、これに応じて、操作子の機能が該１つの機能から該別の機能に切り替えられる。その後、操作子が操作されると、該別の機能が行われる。つまり、同一操作子の操作により、複数の機能が、適宜切り替えられて行われる。
【００１６】
第２の発明に係る受信装置は、第１発明において、前記所定の情報は、受信中の周波数において複数チャンネルによる放送がなされているか否かの情報であり、前記複数の機能は、受信周波数を変更する機能及び同一周波数においてチャンネルを変更する機能であることを特徴とする。
【００１７】
ここで、機能切替え手段はたとえば、同一周波数における各チャンネルのうち、最初のものを受信しているとき、操作子に対し、第１の操作については、より順位の低いチャンネルへのチャンネル変更機能を付与し、第２の操作については、より低い周波数への周波数変更機能を付与するものが該当する。最初のチャンネルとは、たとえば、トゥモロー・ラジオ放送におけるメイン・チャンネルが該当する。この場合、より順位の低いチャンネルとは、たとえば、１番目のサブ・チャンネルが該当する。第１及び第２の操作としては、たとえば、操作子がアップ／ダウン・キーである場合におけるアップ・キーの押下及びダウン・キーの押下が該当する。
【００１８】
この場合、機能切替え手段は、同一周波数における各チャンネルのうち、最後のものを受信しているとき、操作子に対し、第１の操作については、より高い周波数への周波数変更機能を付与し、第２の操作については、より順位の高いチャンネルへのチャンネル変更機能を付与する。また、機能切替え手段は、同一周波数における各チャンネルのうち、中間のものを受信しているとき、操作子に対し、第１の操作については、より順位の低いチャンネルへのチャンネル変更機能を付与し、第２の操作については、より順位の高いチャンネルへのチャンネル変更機能を付与する。
【００１９】
第３の発明に係る受信装置は、第１又は第２の発明において、複数のチャンネルが含まれる周波数に受信周波数を変更する場合、該複数のチャンネルのうちの最初のものをまず受信することを特徴とする。
【００２０】
第４の発明に係る受信装置は、第１又は第２の発明において、複数のチャンネルが含まれる周波数に受信周波数を変更するに際し、より低い周波数からの変更の場合には、該複数のチャンネルのうちの最初のものをまず受信するとともに、より高い周波数からの変更の場合には、該複数の受信チャンネルのうちの最後のものをまず受信することを特徴とする。
【００２１】
第５の発明に係る受信装置は、第１〜第４のいずれかの発明において、前記所定の情報は、受信中の周波数において、アナログとデジタルによるサイマル放送がなされているか否かの情報であり、前記複数の機能は、アナログによる放送の受信を強制的に選択する機能及びデジタルによる放送の受信を強制的に選択する機能である。そして、機能切替え手段は、アナログによる放送及びデジタルによる放送のいずれかを受信信号に基づいて選択して受信する自動モードでサイマル放送を受信しているとき、操作子に対し、第１の操作については、デジタルによる放送の受信を強制的に選択する機能を付与するとともに第２の操作についてはアナログによる放送の受信を強制的に選択する機能を付与し、強制的選択によるアナログ放送の受信を行っているとき、操作子に対し、第１操作については前記自動モードに遷移させる機能を付与するとともに第２操作については受信周波数をより低い周波数へ変更する機能を付与し、そして、強制的選択によるデジタル放送の受信を行っているとき、操作子に対し、第１操作については受信周波数をより高い周波数へ変更する機能を付与するとともに第２操作については前記自動モードに遷移させる機能を付与するものであることを特徴とする。
【００２２】
第６の発明に係る受信装置は、第１〜第５のいずれかの発明において、前記所定の情報は、受信中の番組のジャンルに関する情報であり、機能切替え手段は、ジャンル情報に基づき、操作子に対し、受信中の番組のジャンルに適したイコライザ設定をオンとする機能、音声効果を制御するためのＤＳＰ表示を行わせる機能及び有効にされている音声効果をオフとする機能、放送中の楽曲についてのタイトルを表示させる機能及び無機能、又は放送中の楽曲を演奏しているアーティストを表示させる機能及び無機能を操作子に対し、切り替えて付与するものであることを特徴とする。ここで、操作子に対して無機能を付与するということは、無機能が付与された操作子が操作されても、何の機能をも行わないことを意味する。
【００２３】
第７の発明に係る受信装置は、第１〜第６のいずれかの発明において、前記所定の情報は、受信中の放送がモノラル放送であるか又はステレオ放送であるかについての情報であり、機能切替え手段は、受信中の放送がモノラル放送である場合には、操作子の機能を、ラウドネスをオンとする機能へ、別の機能から切り替え、又は受信中の放送がステレオ放送である場合には操作子の機能を、マルチパスによるステレオ・ブレンディングをオンとする機能へ、別の機能から切り替えるものであることを特徴とする。
【００２４】
第８の発明に係る受信装置は、第１〜第７のいずれかの発明において、前記所定の情報は、受信中の放送に文字情報が含まれているか否かの情報であり、機能切替え手段は、受信中の放送に文字情報が含まれている場合には、該文字情報に基づき、操作子の機能を、該文字情報を表示させる機能へ、別の機能から切り替えるものであることを特徴とする。
【００２５】
第９の発明に係るプログラムは、受信装置を構成するコンピュータに、受信装置により受信中の信号に基づいて所定の情報を得る手順と、受信装置が有する所定の操作子に対して複数の機能を、前記所定の情報に基づき、切り替えて付与する手順とを行わせることを特徴とする。
【００２６】
第１０の発明に係る受信方法は、受信装置が、受信中の信号に基づいて所定の情報を得る手順と、受信装置が、その所定の操作子に対して複数の機能を、前記所定の情報に基づき、切り替えて付与する手順とを具備することを特徴とする。
【発明の効果】
【００２７】
本発明によれば、同じ操作子の操作に対し、適宜、複数の機能が切り替えて付与されるので、限られた数の操作子で、より多くの機能を実現するとともに、操作量を減少させて、操作性を向上させることができる。したがって、よりコンパクトで操作性の高い受信装置を提供することができる。
【発明を実施するための最良の形態】
【００２８】
図１は本発明の一実施形態に係るトゥモロー・ラジオ放送用受信装置の構成を示すブロック図である。この受信装置は通常のＦＭ放送の他、トゥモロー・ラジオ放送を受信することも可能となっている。トゥモロー・ラジオ放送はメイン・チャンネル、及び複数のサブ・チャンネルを含む。メイン・チャンネルではサイマル放送が、ハイブリッド放送により行われる。つまり、同一番組が同時にアナログ及びデジタルで放送される。
【００２９】
同図に示すように、この受信装置は、指示された周波数の電波を選択して受信し、所定の中間周波信号に変換して出力するチューナ１１、チューナ１１の出力に基づき、そのＦＭ放送の成分について復調を行い、音声信号を生成するＦＭ復調部１２、該音声信号をデジタル信号に変換するＡ／Ｄ変換部１３、チューナ１１の出力に基づき、そのデジタル放送の成分について復調を行うデジタル復調部１４、デジタル復調部１４が出力するデジタル信号のうち、指示されたチャンネルの信号を選択して出力するチャンネル選択部１５、Ａ／Ｄ変換部１３が出力するＦＭ放送の信号又はチャンネル選択部１５が出力するデジタル放送の信号のいずれかを、指示に応じて選択し、出力するモード選択部１６、モード選択部１６の出力信号を音響に変換して出力する音響変換部１７、及び装置各部を制御する制御部１８を備える。
【００３０】
制御部１８には、ユーザからの指示を受け入れるための操作部１９、及びユーザに対する各種情報を表示するための表示部２０が設けられている。デジタル復調部１４は、復調した信号についてエラー訂正を施したり、復調した信号に基づき、それに含まれるチャンネル等の情報を制御部１９に供給したりする機能を有する。操作部１９は、受信周波数を変更する機能、及び、トゥモロー・ラジオ放送における各チャンネルの放送を選択する機能が切り替えて付与されるアップ／ダウン・キーを備える。
【００３１】
制御部１８は受信中の信号が通常のＦＭ放送のものであるか、又はトゥモロー・ラジオ放送のものであるか等の情報に基づき、アップ／ダウン・キーについての上記機能の切替えを行う。制御部１８はまた、トゥモロー・ラジオ放送のメイン・チャンネルを受信するとき、ＦＭ復調部１２やデジタル復調部１４からの受信信号の電界強度等に基づき、モード選択部１６により、ＦＭ放送又はデジタル放送に基づく音声信号のいずれかを選択し、音響変換部１７に送る。受信周波数の変更は、アップ／ダウン・キーの押下に応じ、周波数が増加する方向又は減少する方向で、受信可能な周波数をサーチし、そのような周波数が検出されるとその周波数を保持するシーク・アップ又はシーク・ダウンにより行われる。アップ／ダウン・キーは、隣接して配置されたアップ・キー及びダウン・キーにより構成される。なお、アップ／ダウン・キーは、１つのキーのアップ側又はダウン側を押下するシーソー形式のものや、レバー状のキーをアップ方向又はダウン方向に傾けるような形式のものであってもよい。
【００３２】
図２はアップ／ダウン・キーの操作により受信周波数及び受信チャンネルが遷移する様子を例示する。図中の２１は、９９．９［ＭＨｚ］において通常のＦＭ放送を受信している状態、２２は１００．１［ＭＨｚ］においてトゥモロー・ラジオ放送を受信している状態、２３は１００．３［ＭＨｚ］において通常のＦＭ放送を受信している状態である。トゥモロー・ラジオ放送を受信している状態２２は、さらにアナログ又はデジタルのメイン・チャンネルを受信している状態２２ａ、サブ・チャンネル１を受信している状態２２ｂ、及びサブ・チャンネル２２ｃを受信している状態に分かれている。矢線Ｕｐはアップ・キーが押下されたときの状態の遷移方向を示し、矢線Ｄｎはダウン・キーが押下されたときの状態の遷移方向を示す。
【００３３】
通常のＦＭ放送を受信している状態２１及び２３にあっては、アップ／ダウン・キーに対し、アップ・キー及びダウン・キーのいずれの押下操作についても、受信周波数を変更する機能が付与される。トゥモロー・ラジオ放送のメイン・チャンネルを受信している状態２２ａにあっては、アップ・キーの押下操作についてはチャンネルを変更する機能が付与され、ダウン・キーの押下操作については、受信周波数を変更する機能が付与される。サブ・チャンネル１を受信している状態２２ｂにあっては、アップ・キー、ダウン・キーのいずれについても、チャンネルを変更する機能が付与される。サブ・チャンネル２を受信している状態２２ｃにあっては、アップ・キーについては受信周波数を変更する機能が付与され、ダウン・キーについては、チャンネルを変更する機能が付与される。
【００３４】
図３はこのようなアップ／ダウン・キーについての機能の切替えを実現する制御部１８の処理を示すフローチャートである。処理を開始すると、ステップ３１において、デジタル復調部１４における復調結果に基づき、現在受信中の周波数の信号が複数の放送チャンネルを含むか否か、つまりトゥモロー・ラジオ放送を受信中であるか否かを判定する。複数の放送チャンネルを含むと判定した場合にはステップ３２へ進み、含まないと判定した場合にはステップ３７へ進む。
【００３５】
ステップ３７では、アップ・キー及びダウン・キーの機能を周波数変更機能とし、図３の処理を終了する。この後、アップ・キー又はダウン・キーが押下されると、それぞれシーク・アップ又はシーク・ダウンにより受信周波数の変更が行われることになる。図２の例では、状態２１や２３においてアップ・キー又はダウン・キーが押下される場合に相当し、受信周波数が１００．１［ＭＨｚ]等に変更される。
【００３６】
ステップ３２では、現在選択され、受信されているチャンネルが、受信中の周波数の信号に含まれる複数チャンネルのうちの最初のものであるか否かを判定する。最初のチャンネルとは、該複数のチャンネルに所定の順位付けをした場合における最も順位の高いチャンネルを意味する。図２の例ではメイン・チャンネルが該当する。図２の例では、状態２２における複数のチャンネルを、順位の高い方から、メイン・チャンネル、サブ・チャンネル１、そしてサブ・チャンネル２の順に順位付けしている。最初のチャンネルであると判定した場合はステップ３３へ進み、最初のチャンネルでないと判定した場合はステップ３４へ進む。
【００３７】
ステップ３３では、アップ・キーの機能をチャンネル変更機能とし、ダウン・キーの機能を周波数変更機能として、図３の処理を終了する。この後、アップ・キーが押下されると、より低い次の順位のチャンネルへのチャンネル変更が行われることになる。図２の例では、状態２２ａにおいてアップ・キーが押下された場合に相当し、受信チャンネルはサブ・チャンネル１に変更される。逆に、ダウン・キーが押下されると、シーク・ダウンが行われることになる。図２の例では、状態２２ａにおいてダウン・キーが押下された場合に相当し、シーク・ダウンにより、受信周波数が９９．９［ＭＨｚ］に変更される。
【００３８】
ステップ３４では、現在選択されているチャンネルが、受信中の周波数の信号に含まれる複数チャンネルのうちの最後のものであるか否かを判定する。最後のチャンネルであると判定した場合はステップ３５へ進み、最後のチャンネルでないと判定した場合はステップ３６へ進む。
【００３９】
ステップ３５では、アップ・キーの機能を周波数変更機能とし、ダウン・キーの機能をチャンネル変更機能として、図３の処理を終了する。この場合、この後にアップ・キーが押下されると、シーク・アップが行われることになる。図２の例では、状態２２ｃにおいてアップ・キーが押下された場合に相当し、シーク・アップにより、受信周波数が１００．３［ＭＨｚ］に変更される。一方、ダウン・キーが押下されると、より順位の高い次の受信チャンネルへチャンネルの変更が行われることになる。図２の例では、状態２２ｃにおいてダウン・キーが押下された場合に相当し、受信チャンネルがサブ・チャンネル２からサブ・チャンネル１に変更される。
【００４０】
ステップ３６では、アップ・キー及びダウン・キーのいずれの機能もチャンネル変更機能とし、図３の処理を終了する。この後、アップ・キーが押下されると、受信チャンネルがより順位の低い次のチャンネルへ変更されることになる。逆に、ダウン・キーが押下されると、受信チャンネルは、より順位の高い次のチャンネルへ変更されることになる。図２の例では、状態２２ｂにおいてアップ・キー又はダウン・キーが押下される場合に相当し、受信チャンネルはそれぞれ、サブ・チャンネル２又はメイン・チャンネルへ変更される。
【００４１】
以上の処理によれば、図２の例において、受信状態２１にある場合にアップ・キーが押下されると、そのときアップ・キーは周波数切替え機能を有するので（ステップ３７）、受信状態は状態２２ａに遷移し、周波数１００．１［ＭＨｚ］におけるメイン・チャンネルが受信される。このとき、制御部１８はデジタル復調部１４からの情報に基き、受信中の周波数の信号がメイン・チャンネル並びに２つのサブ・チャンネル１及び２を含むことを認識し、アップ・キーの機能をチャンネル変更機能に切り替える（ステップ３１〜３３）。したがって、さらにアップ・キーが押下されると、受信チャンネルはサブ・チャンネル１に変更される。このとき、アップ・キーのチャンネル切替え機能は維持される（ステップ３６）。
【００４２】
したがって、さらにアップ・キーが押下されると、受信チャンネルはサブ・チャンネル２に変更される。このとき、制御部１８は、受信中のサブ・チャンネル２が最後のチャンネルであることに基づき、アップ・キーの機能を周波数変更機能に切り替える（ステップ３５）。したがって、さらにアップ・キーが押下されると、受信周波数が１００．３［ＭＨｚ］に変更される。チャンネル切替え機能は、トゥモロー・ラジオ放送等のような同一周波数に複数のチャンネルを含む放送を受信した場合にのみ、アップ／ダウン・キーに付与される。通常のＦＭ放送のみを受信する場合には、アップ／ダウン・キーは、シーク・アップ／ダウン・キーとしての機能のみを有することになる。
【００４３】
以上のように、本実施形態によれば、受信中の周波数の信号に複数のチャンネルが含まれるか否かによってアップ／ダウン・キーの機能を切り替えるようにしたため、同一のアップ／ダウン・キーを操作するだけで、周波数の変更及び同一周波数におけるチャンネルの選択を行うことができる。したがって、従来のアナログ放送のみを受信するラジオとまったく同一のユーザ・インタフェース、つまりアップ／ダウン・キー等のキーの種類や配置、又はメニュー構成を用いて、トゥモロー・ラジオを受信することができる。
【００４４】
図４は本発明の第２の実施形態に係る受信装置における受信状態の遷移を例示する。同図における図２と同一の符号は、同様の要素を示す。図２における受信状態の遷移と異なるのは、図２の場合には、状態２３においてダウン・キーが押下されると状態２２ｃに遷移するのに対し、図４の場合、状態２３においてダウン・キーが押下されると状態２２ａに遷移する点にある。つまり、制御部１８は、状態２３にあるとき、ダウン・キーの機能を周波数変更機能に設定し又は切り替える。他の点については、第１実施形態の場合と同様である。
【００４５】
本形態の場合、１００．３［ＭＨｚ］のＦＭ放送の受信中にダウン・キーが押下されると、ダウン・シークにより周波数が１００．１［ＭＨｚ］に変更され、トゥモロー・ラジオ放送の受信状態２２ａに遷移する。つまり、アップ方向及びダウン方向のいずれの方向から受信状態２２に遷移する場合でも、最初に状態２２ａに遷移し、メイン・チャンネルが受信される。したがって、ユーザによっては、図２の状態遷移よりも、本形態のような受信状態の遷移の方が感覚的に受け入れられ易い場合もある。
【００４６】
本実施形態によっても、第１実施形態の場合と同様に、受信中の周波数の信号に複数のチャンネルが含まれるか否かによってアップ／ダウン・キーの機能を切り替えるようにしているので、同一のアップ／ダウン・キーを操作するだけで、周波数の変更及び同一周波数におけるチャンネルの選択を行うことができる。
【００４７】
図５は本発明の第３の実施形態に係る受信装置における受信状態の遷移を例示する。同図における図２と同一の符号は、同様の要素を示す。図５において、５１はサブ・チャンネルが存在しない、ハイブリッドによるサイマル放送としてのＩＢＯＣ放送（以下、単に「ＩＢＯＣ放送」という。）を受信し、かつそのうちのアナログのＦＭ放送又はデジタル放送のいずれかを制御部１８が選択して受信（以下、「自動選択受信」という。）している受信状態である。５２はこの状態５１においてアップ・キーが押下された場合に遷移する、該デジタル放送を受信（以下、「強制デジタル受信」という。）している状態である。５３は状態５１においてダウン・キーが押下された場合に遷移する、該アナログ放送を受信（以下、「強制アナログ受信」という。）している状態である。本実施形態においても図１と同様の構成が適用される。
【００４８】
図６は図５の状態遷移を実現するためにアップ／ダウン・キーに対する機能の切替えを行う制御部１８の処理を示すフローチャートである。ただし、アップ方向及びダウン方向のいずれからのシーク動作によりＩＢＯＣ放送の受信周波数に切り替えられる場合においても、切替え後の初期受信状態は自動選択受信とされる。処理を開始すると、制御部１８は、まず、現在の受信状態がＩＢＯＣ放送についての自動選択受信状態であるか否かの判定を行う。自動選択受信状態であると判定した場合にはステップ６２へ進み、自動選択受信状態ではないと判定した場合にはステップ６３へ進む。
【００４９】
ステップ６２では、アップ・キーの機能を強制デジタル受信状態への変更機能とし、ダウン・キーの機能を強制アナログ受信状態への変更機能として、図６の処理を終了する。この後、アップ・キーが押下されると、デジタル復調部１４におけるデジタル信号の電界強度等にかかわらず、制御部１８は、モード選択部１６により、同一周波数におけるデジタル放送に基づく音声信号を選択することになる。ダウン・キーが押下されると、ＦＭ復調部１２におけるアナログ信号の電界強度等にかかわらず、制御部１８は、モード選択部１６により、同一周波数におけるアナログ放送に基づく音声信号を選択することになる。
【００５０】
ステップ６３では、現在の受信状態は強制デジタル受信状態か否かの判定を行う。強制デジタル受信状態であると判定した場合にはステップ６４へ進み、強制デジタル受信状態ではないと判定した場合にはステップ６５へ進む。
【００５１】
ステップ６４では、アップ・キーの機能を受信周波数の変更機能とし、ダウン・キーの機能を自動選択受信状態への変更機能として、図６の処理を終了する。この後、アップ・キーが押下されると、アップ・シークにより、より高い周波数の放送が受信されることになる。一方、ダウン・キーが押下されると、自動選択受信状態へ遷移することになる。
【００５２】
ステップ６５では、現在の受信状態は強制アナログ受信状態か否かの判定を行う。強制アナログ受信状態であると判定した場合にはステップ６６へ進み、強制アナログ受信状態ではないと判定した場合にはステップ６７へ進む。
【００５３】
ステップ６６では、アップ・キーの機能を自動選択受信状態への変更機能とし、ダウン・キーの機能を受信周波数の変更機能として、図６の処理を終了する。この後、アップ・キーが押下されると、自動選択受信状態へ遷移することになる。一方、ダウン・キーが押下されると、アップ・シークにより、より低い周波数の放送が受信されることになる。
【００５４】
ステップ６７では、通常のＦＭ放送を受信している状態であるため、アップ・キー及びダウン・キーのいずれの機能も受信周波数の変更機能として、図６の処理を終了する。この後、アップ・キー又はダウン・キーが押下されると、アップ・シーク又はダウン・シークにより、異なる周波数の放送が受信されることになる。
【００５５】
以上の処理により、図５（ａ）に示されるように、ユーザは、アップ／ダウン・キーを操作するだけで、受信周波数の変更に加え、ＩＢＯＣ放送の受信状態として、自動選択受信状態、強制デジタル受信状態、及び強制アナログ受信状態を、適宜選択することができる。したがって、従来のアナログ放送のみを受信するラジオとまったく同一のユーザ・インタフェース、つまりアップ／ダウン・キー等のキーの種類や配置、又はメニュー構成を用いて、強制デジタル受信状態、及び強制アナログ受信状態を選択することができる。なお、１００．１［ＭＨｚ］においてＩＢＯＣ放送ではなく、通常のＦＭ放送が行われている場合には、図５（ｂ）に示されるように、１００．１［ＭＨｚ］においては通常のＦＭ放送を受信する状態５４となるので、アップ／ダウン・キーは周波数を変更するためにのみ用いられることになる。
【００５６】
図８は本発明の第３の実施形態に係る車載用受信装置におけるフロント・パネル部分を示す。この装置においては、ＩＢＯＣ放送の受信時に、番組の遷移に伴って番組のジャンルが変化した場合、各操作キーに付与される機能が切り替えられるようになっている。この装置のハード構成は第１実施形態の場合と同様であり、構成図として図１を用いることができる。図８において、８１〜８４は図１の操作部１８を構成している操作キーであり、８５は図１の表示部２０における表示画面である。
【００５７】
同図（ａ）の画面８５においてはＩＢＯＣ放送によるロック音楽の番組の放送を受信している様子が示されている。図中の大きな文字「Ｒｏｃｋ」は、受信中の番組のジャンルが「ロック」、つまりロック音楽を放送する種類のものである旨を示している。番組のジャンル等に関する情報は、デジタル復調部１４における復調結果に基づいて取得することができる。この状態にある場合、制御部１８は、操作キー８１に対し、ロック音楽の聴取に適したイコライザの設定とする機能を付与する。これによりユーザは、操作キー８１を押下するだけで、ロック音楽に適したイコライザの設定とし、受信中のロック番組を聴取することができる。
【００５８】
制御部１８はまた、操作キー８２に対し、ＤＳＰ（デジタル・シグナル・プロセッサ）による音声効果制御を設定するためのＤＳＰ表示の画面を表示させる機能を付与する。これにより、ユーザは、操作キー８２を押下してＤＳＰ表示の画面を表示させ、好みの音場設定を行うことができる。また、操作キー８３には聴取中の楽曲のタイトル等を表示させる機能が付与され、操作キー８４には聴取中の楽曲を演奏しているアーティストに関する情報を表示させる機能が付与される。なお、制御部１８は、操作キー８１〜８４の上方の画面８５内において、各操作キー８１〜８４に対して付与した機能を示唆する文字「Ｒｏｃｋ」、「ＤＳＰ」、「Ｓｏｎｇ」及び「Ａｒｔｉｓｔ」を表示する。
【００５９】
一方、図８（ｂ）の画面８５においてはＩＢＯＣ放送によるニュース番組の放送を受信している様子が示されている。図中の大きな文字「Ｎｅｗｓ」は、受信中の番組のジャンルが「ニュース」、つまりニュースを放送する種類のものである旨を示している。この場合、制御部１８は、操作キー８１に対し、ニュース番組の聴取に適したイコライザの設定とする機能を付与する。これによりユーザは、操作キー８１を押下するだけで、ニュース番組に適したイコライザ設定により、受信中のニュース番組を聴取することができる。
【００６０】
制御部１８はまた、操作キー８２に対し、ＤＳＰによる音声効果制御をオフとする機能を付与する。これによりユーザは、操作キー８２を押下することによって、ニュース番組の聴取に通常は必要の無い音声効果の付与を行わないようにすることができる。制御部１８は、操作キー８３及び８４については、付与されていた機能を無効化する。ニュース番組の聴取に際しては、タイトルやアーティストに関する情報は必要がないからである。したがって、ユーザが操作キー８３又は８４を押下しても、制御部１８は何も行わない。
【００６１】
本実施形態によれば、受信中の番組のジャンルに応じて操作キーに付与する機能を切り替えるようにしているので、限られた個数の操作キー８１〜８４により、キー数よも多くの機能を提供することができる。その際、各操作キーに付与されている機能を示唆する表示を行うようにしているので、ユーザは各操作キー８１〜８４に付与されている機能を容易に把握して、実行させることができる。
【００６２】
図９は本発明の第４の実施形態に係る車載用受信装置におけるフロント・パネル部分を示す。この装置においては、受信中の放送がモノラル放送であるか又はステレオ放送であるかに応じて操作キーに付与される機能が切り替わるようになっている。この装置のハード構成は第１実施形態の場合と同様であり、構成図として図１を用いることができる。図９における図８と同一の符号は同一の要素を示す。
【００６３】
図９（ａ）の画面８５においては、アナログのモノラル放送を受信している様子が示されている。この状態においては、制御部１８は、操作キー８１に対し、ラウドネス機能を付与し、操作キー８２に対し、上述のＤＳＰ表示機能を付与する。これによりユーザは、操作キー８１を押下することにより、ラウドネス機能をオンとし、小さな音量でも量感のある音で番組を聴取することができる。また、操作キー８２を押下してＤＳＰ表示の画面を表示させ、好みの音場設定を行うことができる。
【００６４】
図９（ｂ）の画面８５においては、アナログのステレオ放送を受信している様子が示されている。この状態においては、制御部１８は、操作キー８１に対し、マルチパスによるステレオ・ブレンディング機能を付与する。ユーザは、操作キー８１を押下することにより、マルチパスによるステレオ・ブレンディング機能をオンとして、良好な感度でステレオ放送を聴取することができる。操作キー８２に対してはＤＳＰ表示機能が付与される。
【００６５】
図９（ｃ）の画面８５においては、ＲＤＳ（ラジオ・データ・システム）又はＲＢＤＳ（ラジオ放送データ・システム）放送を受信している様子が示されている。この状態においては、制御部１８は、操作キー８１〜８４に対してそれぞれ、放送中の楽曲についてのタイトル、アルバム、アーティスト、及びジャンルを表示させる機能を付与する。制御部１８はまた、これら各機能が各操作キー８１〜８４に付与されていることを示唆する文字「Ｓｏｎｇ」、「Ａｌｂｕｍ」、「Ａｒｔｉｓｔ」、及び「Ｇｅｎｒｅ」を各キー８１〜８４に対応する画面８５内の位置に表示する。ユーザが操作キー８１〜８４のいずれかを押下すると、制御部１８は、デジタル復調部１４により得られるテキスト情報に基づき、対応する情報を、画面８５上の所定位置に表示する。
【００６６】
本実施形態によれば、受信中の放送についての放送モードやサービス、すなわちモノラルか、ステレオか、又はＲＤＳかといった情報に応じ、操作キー８１〜８４の機能を切り替えて、使用頻度が高い機能を各操作キー８１〜８４に割り当てるようにしたため、操作キー８１〜８４により、多数の操作機能を、使い易いかたちでユーザに提供することができる。その際、各操作キーに付与されている機能を示唆する表示を行うようにしているので、ユーザは各操作キー８１〜８４に付与されている機能を容易に把握して、実行させることができる。
【図面の簡単な説明】
【００６７】
【図１】本発明の一実施形態に係るトゥモロー・ラジオ放送用受信装置の構成を示すブロック図である。
【図２】図１の装置において、アップ／ダウン・キーの操作により受信周波数及び受信チャンネルが遷移する様子を例示する図である。
【図３】図１の装置におけるアップ／ダウン・キーについての機能の切替えを実現する処理を示すフローチャートである。
【図４】本発明の第２の実施形態に係る受信装置における受信状態の遷移を例示する図である。
【図５】本発明の第３の実施形態に係る受信装置における受信状態の遷移を例示する図である。
【図６】図５の状態遷移を実現するためにアップ／ダウン・キーに対する機能の切替えを行う処理を示すフローチャートである。
【図７】従来のトゥモロー・ラジオ放送受信装置において、受信モードが遷移する様子を示す図である。
【図８】本発明の第３の実施形態に係る車載用受信装置におけるフロント・パネル部分を示す図である。
【図９】本発明の第４の実施形態に係る車載用受信装置におけるフロント・パネル部分を示す図である。
【符号の説明】
【００６８】
１１：チューナ、１２：ＦＭ復調部、１３：Ａ／Ｄ変換部、１４：デジタル復調部、１５：チャンネル選択部、１６：モード選択部、１７：音響変換部、１８：制御部、１９：操作部、２０：表示部、２１，２２（２２ａ，２２ｂ，２２ｃ），２３，５１，５２，５３，５４，７１，７２，７３：受信状態、８１〜８４：操作キー、８５：表示画面。
【図１】
2006229353.tif 000003
【図２】
2006229353.tif 000004
【図３】
2006229353.tif 000005
【図４】
2006229353.tif 000006
【図５】
2006229353.tif 000007
【図６】
2006229353.tif 000008
【図７】
2006229353.tif 000009
【図８】
2006229353.tif 000010
【図９】
2006229353.tif 000011